(57)【特許請求の範囲】
【請求項１】
回動操作される操作ノブと、該操作ノブと一体的に回動し駆動用のギヤー部が形成された回動部材と、該回動部材のギヤー部に噛合する被駆動用のギヤー部が形成されたギヤー部材と、該ギヤー部材と空調装置側を連結する連結部材とを備え、操作ノブの回動に応じて空調装置側部材を駆動するようにしたヒーターコントロール装置において、前記回動部材とギヤー部材の少なくとも一方に複数のギヤー部を形成し、操作ノブの回動位置に応じて、噛合するギヤー部を切り換えることにより、ギヤー部材への伝達比を異ならせたことを特徴とするヒーターコントロール装置。
【請求項２】
空調装置側部材の大きい作動範囲で駆動されるモード間と小さい作動範囲で駆動されるモード間とに区分し、分割した位置を境にして異なる歯が噛合するようにしたことを特徴とする請求項１に記載のヒーターコントロール装置。
【請求項３】
空調装置側部材のモード間毎に対応したギヤー部を形成し、各モードを境にしてギヤー部の噛合を切り換えて操作ノブの回動角を均一にしたことを特徴とする請求項１に記載のヒーターコントロール装置。
【発明の詳細な説明】
【０００１】
【発明が属する技術分野】
本発明は、回動操作される操作ノブと、空調装置側部材とをギヤーを介して連結し、操作ノブの回動に応じて空調装置側部材を駆動するようにしたヒーターコントロール装置に関する。
【０００２】
【従来の技術】
従来、車両の空調装置側部材をギアーを介して運転席近傍のダッシュボード部に設けた操作ノブの回動により開閉操作するようにしたヒーターコントロール装置がある。
【０００３】
この種のヒーターコントロール装置は、例えば、特開昭５５−１１９５１４号公報に示すように、ダッシュボード部に回動自在な回動部材を設け、この回動部材には車室内側の一端に操作ノブを設けるとともにその他端にはかさ歯車を設け、このかさ歯車にはこれの回動によって揺動される揺動半径の比較的大きな扇状のかさ歯車を噛合させ、この扇状のかさ歯車の揺動端にはその中央部に上記ワイヤーケーブルの一端をその揺動角度範囲の全域に渡って略接線方向に沿わせて連結させるようになっている。
従って、操作ノブを回動させるとその回動量に比較して扇状の傘歯車が揺動し、傘歯車に連結されているワイヤーケーブルが伸縮されるようになっている。
【０００４】
このようなものにおいては、操作ノブの回動量に対するワイヤーケーブルの伸縮量は、中央付近では大きく中心から離れるにしたがって小さくなるものであった。これを、ワイヤーケーブルの伸縮量に比例して温風と冷風との混合量を調節するエアミックスダンパーを開度制御させて温度調節するようにしたものに使用した場合について概略を説明する。
【０００５】
温度調節装置１００は、図１３に示すように、温度調節装置１００の温度調節用の操作ノブ１０１が、中立位置にあるときには、空調装置側部材の温風と冷風との混合量を調節するエアミックスダンパー（図示せず）も中立位置にある。
そして、この位置から操作ノブ１０１を時計回りに回動させると、該操作部材１０１の背面側に取り付けられている回動部材１０２が一体的に時計回りに回動し、回動部材１０２のギヤー部１０３とギヤーレバー１０４のギヤー部１０５が噛合しているため、ギヤーレバー１０４は図１２において時計回りに回動する。
ギヤーレバー１０４が時計回りに回動すると、ギヤーレバー１０４のワイヤー取付穴１０６に取り付けられたワイヤーケーブル１０７のインナワイヤ１０８が右側に移動し、空調装置側部材のエアミックスダンパーを駆動して冷風を減少させ、温風の量を増加させる。
そして、これとは反対に中立位置から操作ノブ１０１を反時計回りに回動させると、同様にギヤーレバー１０４は反時計回りに回動し、インナワイヤ１０８が左側に移動して、空調装置側部材のエアミックスダンパーを駆動させて温風を減少させ、冷風の量を増加させるようになっている。
【０００６】
しかし、このギヤーレバー１０４の回動角度とインナワイヤ１０８の伸縮量の関係は、ギヤーレバー１０４が中央付近で回動している時は伸縮量は大きく中央から離れた位置でギヤーレバー１０４が回動する場合には伸縮量は小さくなるものである。
従って、操作ノブ１０１を操作した場合、中央付近では温度変化が激しく微調整ができなくなり、中央付近から離れた位置では、操作ノブ１０１の回動量に対して変化が少ないという不具合が発生していた。
そして、表示板１０９に操作ノブ１０１の回動を指示させる場合には、図１３に示すように各目盛り１１０の間隔を中央付近では狭い間隔にし、中央から離れるに従って広い間隔の表示に設定しなければならなかった。
【０００７】
次に、送風モード切換装置２００に使用した場合について説明する。
送風モード切換装置２００は、図１３に示す状態では送風モード切換用の操作ノブ２０１が中立位置にあり、送風モード切換装置の風向はＦＯＯＴの位置にあり足元に風を送るようになっている。
【０００８】
この位置から操作ノブ２０１を時計回りに回動させると、回動部材２０２が時計回りに回動し、回動部材２０２のギヤー部２０３とギヤーレバー２０４のギヤー部２０５が噛合して、ギヤーレバー２０４は図１２において時計回りに回動し、ギヤーレバー２０４のワイヤー取付穴２０６に取り付けられたワイヤーケーブル２０７のインナワイヤ２０８を介して風向きを変えるダンパーを駆動し、送風モード切換装置の風向をＦＯＯＴ−ＤＥＦの位置にして、足元とフロントガラスに向けて送風し、更に操作ノブ２０１を時計回りに回動させると、送風モード切換装置２００はＤＥＦの位置となり、足元への送風を止めてフロントガラスにのみ向けて送風するようになっている。
そして、これとは反対に中立位置から操作ノブ２０１を反時計回りに回動させると、送風モード切換装置２００はＦＯＯＴ−ＦＡＣＥの位置となり、足元と顔方向に送風するようなり、更に操作ノブ２０１を反時計回りに回動させると、ＦＡＣＥの位置となり、足元への送風を止めて顔方向にのみ送風するようになっている。
【０００９】
なお、この送風モード切換装置２００は、ギヤーレバー２０４が時計回りに回動してＦＯＯＴ−ＤＥＦの位置にするまで、およびＦＯＯＴ−ＤＥＦの位置からＤＥＦにするまでの回動角度α１、α２は、ギヤーレバー２０４が反時計回りに回動してＦＯＯＴ−ＦＡＣＥの位置にするまで、およびＦＯＯＴ−ＦＡＣＥの位置からＦＡＣＥにするまでの回動角度α３、α４に比較して小さい角度となっている。
【００１０】
従って、操作ノブ２０１を操作した場合、時計回り側では小さい角度となり、反時計回り側では操作角度を大きくしなければならないという不具合が発生し、表示板１０９に操作ノブ２０１の回動を指示させる場合には、送風モード用の表示部２０９は図１３に示すように、時計回り側のＦＯＯＴからＤＥＦ側には操作角度の小さい表示となり、反時計回り側のＦＯＯＴからＦＡＣＥ側は操作角度の大きい表示となり、バランスの取れない歪な表示部になってしまうものであった。
【００１１】
【発明が解決しようとする課題】
この発明は、この点に着目し、操作ノブと空調装置側部材を連結する連結部材のストロークが等間隔でなくても、操作ノブの回動間隔が等間隔となるようにすることを課題としてなされたものである。
【００１２】
【課題を解決するための手段】
上記の課題を達成するために、第１の発明では、 回動操作される操作ノブと、該操作ノブと一体的に回動し駆動用のギヤー部が形成された回動部材と、該回動部材のギヤー部に噛合する被駆動用のギヤー部が形成されたギヤー部材と、該ギヤー部材と空調装置側を連結する連結部材とを備え、操作ノブの回動に応じて空調装置側部材を駆動するようにしたヒーターコントロール装置において、回動部材とギヤー部材の少なくとも一方に複数のギヤー部を形成し、操作ノブの回動位置に応じて、噛合するギヤー部を切り換えることにより、ギヤー部材への伝達比を異ならせる構造としている。
【００１３】
この構成によれば、操作ノブの回動を伝達するギヤー部を使用して、ギヤー部材の移動量に対する操作ノブの回動範囲を調節するようにしているので、簡単な構造で目的を達成することができる。
【００１４】
また、空調装置側部材の大きい作動範囲で駆動されるモード間と小さい作動範囲で駆動されるモード間とに区分し、分割した位置を境にして異なる歯が噛合するようにすることができる。この場合、左右に分割したギヤー部を設けるだけの簡単な構造で、操作ノブ側のモードの間隔を概略均一にすることができる。
【００１５】
また、空調装置側部材のモード間毎に対応したギヤー部を形成し、各モードを境にしてギヤー部の噛合を切り替えて操作ノブの回動角を均一にするようにすれば、全てのモード間の回動範囲を均一化することができる。
【００１８】
【発明の実施の形態】
次に、本発明の実施例を添付図面に従って説明する。
図１，図２は、第１の発明の第１実施例と第２実施例を適用した自動車のヒーターコントロ―ル装置を示し、このヒーターコントロール装置は、表示板１とベース部２が一体的に形成されており、ベース部２には温風と冷風との混合量を調節するエアミックスダンパー（図示せず）を開度制御させて温度調節する温度調節装置３、風向を切り換える送風モード切換装置４、風量を調節する風量調節装置５、内気循環と外気導入を切り換える内外気切換装置６、エアコンモードにするＡ／Ｃスイッチ７、リヤーウィンドの熱線を通電させて曇りをとるリヤデフスイッチ８等が装着されている。
【００１９】
そして、表示板１の前面側には温度調節装置３を作動させる温度調節用の操作ノブ９、送風モード切換装置４を作動させる送風モード切換用の操作ノブ１０、風量調節装置５を作動させる風量調節用の操作ノブ１１、内外気切換装置６を作動させる内外気切換用の操作ノブ１２、Ａ／Ｃスイッチ７をオン・オフするスイッチノブ７ａ、リヤデフスイッチ８をオン・オフする８ａが配設されている。
【００２０】
また、表示板１の前面側を表示面１３とし、この表示面１３には、温度調節用の操作ノブ９の周囲に時計回り方向に温風の量が増加し、反時計回り方向に冷風の量が多くなるように表示された温度調節用の表示部１４が印刷されている。この表示部１４は時計回り側に太くなっている温風用の表示１４ａと反時計回り側に太くなっている冷風用の表示１４ｂで構成され、この表示１４ａと１４ｂは共に等間隔で分割され、その分割部分がメモリ１４ｃの役目を果たしている。そして、操作ノブ９を回動させるとその指針マーク９ａが各表示を指すようになっている。
【００２１】
送風モード切換用の操作ノブ１０の周囲には送風モード用の表示部１５が印刷され、この表示部１５は中央に足元に風を送るＦＯＯＴ用の表示１５ｃを有し、時計回り側にはフロントガラスに向けて風を送るＤＥＦ用の表示１５ｅと足元とフロントガラスの両方に風を送るＦＯＯＴ−ＤＥＦ用の表示１５ｄを有し、反時計回り側には顔に向けて風を送るＦＡＣＥ用の表示１５ａと足元と顔の両方に向けて風を送るＦＯＯＴ−ＦＡＣＥ用の表示１５ｂを有している。そして、これら表示１５ａ乃至１５ｅは概略同間隔で配設されており、操作ノブ１０を回動させるとその指針マーク１０ａが各表示を指すようになっている。
【００２２】
風量調節用の操作ノブ１１の周囲には風量調節用の表示部１６が印刷され、この表示部１６は風量調節用であることを示す表示１６ａと風量の段階０乃至４の表示１６ｂを有している。そして操作ノブ１１の指針マーク１１ａが図２で示す「０」の位置を指しているときには風量はゼロで、「１」を指しているときには微風、「４」を指しているときには最大の風量が噴射されるようになっている。また、内外気切換用の操作ノブ１２の左側には内気循環用の表示１２ａ、右側には外気導入用の表示１２ｂが印刷されている。そして、操作ノブ１２が左側にあるときには内気循環となり、右側に移動したときには外気が導入されるようになっている。
【００２３】
以下、風量調節装置５、内外気切換装置６、Ａ／Ｃスイッチ７、リヤデフスイッチ８については、従来と変わるところがないので、説明を省略し、温度調節装置３と送風モード切換装置４について更に具体的に説明する。
【００２４】
温度調節装置３は本発明の第１実施例を示し、この温度調節装置３の温度調節用の操作ノブ９の背面側には、該操作ノブ９と一体的に回動する回動部材１７が表示板１を挟んで取り付けられている。この回動部材１７には駆動用の大径のギヤー部１８と小径のギヤー部１９が形成され、後端部は軸部２０が形成されている。軸部２０はベース部２に突設された筒部２１に形成された軸受部２２に挿通している。
【００２５】
そして回動部材１７の後側下方部にはギヤーレバー２３が配設されている。ギヤーレバー２３は前記筒部２１に回動可能に嵌合し筒部２１の外周部に形成された爪部２４により上方側への抜けが防止されている。
【００２６】
このギヤーレバー２３には、図３に示すように、前記回動部材１７の駆動用の大径のギヤー部１８と噛合する被駆動用のギヤー部２５ａ、２５ｂと小径のギヤー部１９と噛合する被駆動用のギヤー部２６が形成されている。
ギヤー部２５ａと２５ｂの中央部は歯部が形成されていない非噛合部２５ｃとなっている。そして、この非噛合部２５ｃの位置では大径のギヤー部１８とは噛合しない。
一方、ギヤー部２６の両側には歯部が形成されていない非噛合部２６ａと２６ｂを設けている。即ち、操作ノブ９が中央付近で回動する場合は小径のギヤー部１９とギヤー部２６の噛合部が噛合し、時計回り方向若しくは反時計回り方向に所定角度以上回動した時には大径のギヤー部１８とギヤー部２５ａ若しくは２５ｂと噛合するようになっている。
【００２７】
なお、図５に示すように大径のギヤー部１８の半径ｒ１、小径のギヤー部１９の半径ｒ２、ギヤーレバー２３の被駆動用のギヤー部２５ａ、２５ｂの回動半径ｒ３、ギヤー部２６の回動半径ｒ４とし、ｒ１のｒ２に対する割合をｒ３のｒ４に対する割合よりも大きくしている。具体的にはｒ１／ｒ２＞ｒ３／ｒ４としており、ｒ１／ｒ３＞ｒ２／ｒ４となる。従って、回動部材１７が同じ角度で回動した場合、大径のギヤー部１８が被駆動用のギヤー部２５ａ、２５ｂと噛合してギヤーレバー２３を回動させる角度の方が小径のギヤー部１９が被駆動用のギヤー部２６と噛合してギヤーレバー２３を回動させる角度よりも大きくなる。
【００２８】
また、ギヤーレバー２３の後方には張出部２７が形成され、この張出部２７にはワイヤー取付穴２８が形成されている。そして、ギヤーレバー２３の回動が連結部材としてのワイヤーケーブル２９のインナワイヤ２９ａを介して空調装置側部材の温風と冷風との混合量を調節するエアミックスダンパー（図示せず）を開度制御させるようになっている。
【００２９】
上記、ギヤーレバー２３の回動角度とワイヤーケーブル２９のインナワイヤ２９ａの伸縮量の関係を図７に示す。
図においてギヤーレバー２３を中央位置からα度時計回りに回動したときのインナワイヤ２９ａの縮量をｓ１とし、この位置から更にα度時計回りに回動したときの縮量をｓ２とすると、中央位置からα度反時計回りに回動したときのインナワイヤ２９ａの伸量はｓ１となり、更にα度反時計回りに回動したときの伸量はｓ２となる。（この場合、ワイヤーケーブル２９の位置ズレによる誤差は無視する。）この場合、ｓ１とｓ２の関係はｓ１＞ｓ２となる。
そして、本実施例においては、この伸縮量と上記各ギヤー部の径との関係を、
ｓ１・ｒ１／ｒ３＝ｓ２・ｒ２／ｒ４となるように設定している。
これによって、回動部材１７の回動角度とワイヤーケーブル２９のインナワイヤ２９ａの伸縮量が概略一定となる。
【００３０】
送風モード切換装置４は本発明の第２実施例を示し、この送風モード切換装置４の送風モード切換用の操作ノブ１０の背面側には、該操作ノブ１０と一体的に回動する回動部材３０が表示板１を挟んで取り付けられている。この回動部材３０には駆動用の大径のギヤー部３１と小径のギヤー部３２が形成され、後端部は軸部３３が形成されている。軸部３３はベース部２に突設された筒部３４に形成された軸受部３５に挿通している。
【００３１】
そして回動部材３０の後側下方部にはギヤーレバー３６が配設されている。ギヤーレバー３６前記筒部３４に回動可能に嵌合し筒部３４の外周部に形成された爪部３７により上方側への抜けが防止されている。
【００３２】
このギヤーレバー３６には、図４に示すように、前記回動部材３０の駆動用の大径のギヤー部３１及び小径のギヤー部３２とそれぞれ噛合する被駆動用のギヤー部３８及び３９が形成されている。
ギヤー部３８は中央部から左側に形成され、右側部分は歯部が形成されていない非噛合部３８ａとなっている。そして、右側部分の非噛合部３８ａ上では大径のギヤー部３１とは噛合することがない。
一方ギヤー部３９は反対に中央部から右側に形成され、左側部分には歯部が形成されていない非噛合部３９ａとなっている。そして、同様に左側部分の非噛合部３９ａ上では小径のギヤー部３２とは噛合することがない。即ち、操作ノブ１０が時計回り方向で回動する場合は小径のギヤー部３２とギヤーレバー３６のギヤー部３９が噛合し、反時計回り方向で回動する場合には大径のギヤー部３１とギヤーレバー３６のギヤー部３８が噛合するようになっている。
【００３３】
なお、温度調節装置３と同様に、図６に示すように大径のギヤー部３１の半径ｒ５、小径のギヤー部３２の半径ｒ６、ギヤーレバー３６のギヤー部３８の回動半径ｒ７、ギヤー部３９の回動半径ｒ８とし、ｒ５のｒ６に対する割合をｒ７のｒ８に対する割合よりも大きくしている。具体的にはｒ５／ｒ６＞ｒ７／ｒ８としており、ｒ５／ｒ７＞ｒ６／ｒ８となる。従って、回動部材３０が同じ角度で回動した場合、大径のギヤー部３１が被駆動用のギヤー部３８と噛合してギヤーレバー３６を回動させる角度の方が小径のギヤー部３２が被駆動用のギヤー部３９と噛合してギヤーレバー３６を回動させる角度よりも大きくなる。
【００３４】
また、ギヤーレバー３６の後方には張出部４０が形成され、この張出部４０にはワイヤー取付穴４１が形成されている。そして、ギヤーレバー３６の回動がワイヤーケーブル４２のインナワイヤ４２ａを介して風向きを変えるダンパーの駆動を制御している。
【００３５】
なお、ギヤーレバー３６の回動角度とワイヤーケーブル４２のインナワイヤ４２ａの伸縮量に応じて風向きを変えるダンパーの駆動部との関係を図８に示す。
図においてギヤーレバー３６を中央位置から時計回りに回動して、ＦＯＯＴ−ＤＥＦ及びＤＥＦとなるようにダンパーを駆動する角度は、従来例と同様にα１及びα２となっており、中央位置から反時計回りに回動して、ＦＯＯＴ−ＦＡＣＥ及びＦＡＣＥとなるようにダンパーを駆動する角度は、α３及びα４となっている。
そして、α３＞α４＞α１＞α２の関係になっている。
本実施例においては、時計回り側の小さい角度α１及びα２と、反時計回り側の大きい角度α３及びα４とに区分し、角度ダンパーを駆動するギヤーレバー３６の回動角度と上記各ギヤー部の径との関係を、
（α３＋α４）／（α１＋α２）＝（ｒ５／ｒ７）／（ｒ６／ｒ８）となるように設定している。
これによって、回動部材３０の時計回りの回動角度と反時計回りの回動角度が同一になり、各モード間の間隔も概略同一角度となる。
【００３６】
次に、温度調節装置３と送風モード切換装置４の動作について説明する。
温度調節装置３において、図２に示す状態では温度調節用の操作ノブ９が中立位置にあり、空調装置側部材の温風と冷風との混合量を調節するエアミックスダンパーも中立位置にある。そして、この位置では、小径のギヤー部１９が被駆動用のギヤー部２６の噛合部２６ａと噛合し、大径のギヤー部１８は非噛合部２５ｃ上にあり、大径のギヤー部１８は空振り状態となっている。この位置から操作ノブ９を時計回りに回動させると、回動部材１７も一体的に時計回りに回動し、回動部材１７の小径のギヤー部１９とギヤーレバー２３のギヤー部２６が噛合しているため、ギヤーレバー２３は図１において時計回りに回動する。このとき回動部材１７の回動角度に対するギヤーレバー２３の回動角度はｒ２／ｒ４の小さい割合で回動する。そして所定角度（概略最大角度の半分）まで回動すると、小径のギヤー部１９は被駆動用のギヤー部２６との噛合が外れ、非噛合部２６ｂ上に位置する。そして、ギヤーレバー２３のワイヤー取付穴２８に取り付けられたインナワイヤ２９ａが右側に移動し、空調装置側部材のエアミックスダンパーを駆動して冷風を減少させ、温風の量を増加させる。この場合インナワイヤ２９ａの移動量は図７のｓ１よりも小さい移動量で概略（ｓ１＋ｓ２）／２となる。
【００３７】
そして、大径のギヤー部１８が被駆動用のギヤー部２５ｂと噛合状態となり、更に操作ノブ９を時計回りに回動させると、大径のギヤー部１８と噛合部２５ｂと噛合してギヤーレバー２３を更に時計回りに回動する。このとき回動部材１７の回動角度に対するギヤーレバー２３の回動角度はｒ１／ｒ３の大きい割合で回動する。
そして、最大角度まで回動させると空調装置側部材のエアミックスダンパーは温風のみにして高温にセットされる。この場合インナワイヤ２９ａの移動量は図７のｓ２よりも大きい移動量で概略（ｓ１＋ｓ２）／２となる。
【００３８】
これとは反対に中立位置から操作ノブ９を反時計回りに回動させると、同様にギヤーレバー２３は図１において反時計回りに回動する。このときも回動部材１７の回動角度に対するギヤーレバー２３の回動角度はｒ２／ｒ４の小さい割合で回動する。そして所定角度（概略最大角度の半分）まで回動すると、小径のギヤー部１９は被駆動用のギヤー部２６との噛合が外れ、非噛合部２６ａ上に位置し、インナワイヤ２９ａが左側に移動し、空調装置側部材のエアミックスダンパーを駆動して温風を減少させ、冷風の量を増加させる。この場合もインナワイヤ２９ａの移動量は図７のｓ１よりも小さい移動量で概略（ｓ１＋ｓ２）／２となる。
【００３９】
このときも、大径のギヤー部１８が被駆動用のギヤー部２５ａと噛合状態となっており、操作ノブ９を更に反時計回りに回動させると、ギヤーレバー２３を更に反時計回りに回動する。このときも回動部材１７の回動角度に対するギヤーレバー２３の回動角度はｒ１／ｒ３の大きい割合で回動する。
そして、最大角度まで回動させると空調装置側部材のエアミックスダンパーは冷風のみにして低温にセットされる。そして、インナワイヤ２９ａの移動量は図７のｓ２よりも大きい移動量で概略（ｓ１＋ｓ２）／２となる。
【００４０】
上記したように、操作ノブ９を中立位置から所定角度、時計回り又は反時計回りに回動させた場合には、回動部材１７の回動角度に対するギヤーレバー２３の回動角度は小さい割合で回動し、所定角度を超えて回動させた場合は、回動部材１７の回動角度に対するギヤーレバー２３の回動角度を大きい割合で回動させる。これによって、インナワイヤ２９ａはギヤーレバー２３の回動位置には関係なく、温度調節用の操作ノブ９の回動角度に比例して移動する。
【００４１】
一方、送風モード切換装置４において、図２に示す状態では送風モード切換用の操作ノブ１０が中立位置にあり、送風モード切換装置はＦＯＯＴの位置にあり足元に風を送るようになっている。そして、この位置では、大径のギヤー部３１と小径のギヤー部３２は共に被駆動用のギヤー部３８、３９とは噛合していないが、時計回りに回動させると小径のギヤー部３２が被駆動用のギヤー部３９と噛合し、反時計回りに回動させると大径のギヤー部３１が被駆動用のギヤー部３８と噛合する状態にある。
【００４２】
従って、この位置から操作ノブ１０を時計回りに回動させると、回動部材３０が時計回りに回動し、回動部材３０の小径のギヤー部３２と被駆動用のギヤー部３９が噛合して、ギヤーレバー３６は図１において時計回りに回動し、ワイヤーケーブル４２のインナワイヤ４２ａを介して風向きを変えるダンパーを駆動する。このとき回動部材３０の回動角度に対するギヤーレバー３６の回動角度はｒ６／ｒ８の小さい割合で回動する。そして所定角度（概略最大角度の半分）まで回動すると、送風モード切換装置はＦＯＯＴ−ＤＥＦの位置となり、足元とフロントガラスに向けて送風するようになっている。
更に操作ノブ１０を時計回りに回動させると、ギヤーレバー３６はｒ６／ｒ８の小さい割合で、更に時計回りに回動し、送風モード切換装置はＤＥＦの位置となり、足元への送風を止めてフロントガラスにのみ向けて送風するようになっている。
【００４３】
これとは反対に中立位置から操作ノブ１０を反時計回りに回動させると、回動部材３０の大径のギヤー部３１に被駆動用のギヤー部３８に噛合し、図１において反時計回りに回動する。このときは回動部材３０の回動角度に対するギヤーレバー３６の回動角度はｒ５／ｒ７の大きい割合で回動する。そして所定角度（概略最大角度の半分）まで回動すると、送風モード切換装置はＦＯＯＴ−ＦＡＣＥの位置となり、足元と顔方向に送風するようになっている。
更に操作ノブ１０を反時計回りに回動させると、ギヤーレバー３６はｒ５／ｒ７の大さい割合で、更に反時計回りに回動し、送風モード切換装置はＦＡＣＥの位置となり、足元への送風を止めて顔方向にのみ送風するようになっている。
【００４４】
従って、ギヤーレバー３６が時計回りに回動してＦＯＯＴ−ＤＥＦの位置にするまで、およびのＦＯＯＴ−ＤＥＦの位置からＤＥＦにするまでの回動角度α１、α２は、ギヤーレバー３６が反時計回りに回動してＦＯＯＴ−ＦＡＣＥの位置にするまで、およびのＦＯＯＴ−ＦＡＣＥの位置からＦＡＣＥにするまでの回動角度α３、α４に比較して小さい角度となっていても、操作ノブ１０の時計回りに回動させる場合と、反時計回りに回動させる場合に回動角度を、同一間隔に設定することができる。
【００４５】
なお、上記実施例によれば、ギヤーが噛合しない非噛合部をギヤーレバー２３およびギヤーレバー３６に形成したが、回動部材側に形成することもできる。
例えば、図９において、回動部材５０に紙面の手前側に大径のギヤー部５１を形成し、紙面の向こう側（背面側）に小径のギヤー部５２を形成している。そして、大径のギヤー部５１の反対側には非噛合部５１ｂを設け、小径のギヤー部５２の反対側には非噛合部５２ｂを設けている。
【００４６】
そして、このギヤーレバー５３には、紙面手前側に大径のギヤー部５１と噛合する被駆動用のギヤー部５４を形成し、紙面の向こう側には小径のギヤー部５２と噛合する被駆動用のギヤー部５５を形成している。
【００４７】
図９に示す状態では、大径のギヤー部５１の端部の歯５１ａと被駆動用のギヤー部５４が噛合し、小径のギヤー部５２の端部の歯５２ａと被駆動用のギヤー部５５が噛合している。そしてこの状態で、回動部材５０を時計回りに回動させると歯５１ａとギヤー部５４の噛合が外れ、小径のギヤー部５２とギヤー部５５が噛合して、ギヤーレバー５３が左側に移動する。反対に回動部材５０を反時計回りに回動させると歯５２ａとギヤー部５５の噛合が外れ、大径のギヤー部５１とギヤー部５４が噛合して、ギヤーレバー５３が右側に移動する。
【００４８】
図１０は第３実施例を示す図で、回動部材６０には、４種類の径の異なるギヤー部６１，６２，６３，６４を形成している。そしてギヤーレバー６５には、ギヤー部６１，６２，６３，６４に噛合する被駆動用のギヤー部６６，６７，６８，６９を形成している。
【００４９】
そして、回動部材６０を時計回りに回動すると、まず回動部材６０のギヤー部６３とギヤーレバー６５のギヤー部６８が噛合して、ギヤーレバー６５はは左側に移動する。更に回動部材６０を時計回りに回動させると、ギヤー部６３とギヤー部６８の噛合が外れ、ギヤー部６４とギヤー部６９が噛合してギヤーレバー６５を左側に移動させる。これとは反対に、回動部材６０を反時計回りに回動すると、回動部材６０のギヤー部６１とギヤーレバー６５のギヤー部６６が噛合して、ギヤーレバー６５はは右側に移動する。更に回動部材６０を反時計回りに回動させると、ギヤー部６１とギヤー部６６の噛合が外れ、ギヤー部６２とギヤー部６７が噛合してギヤーレバー６５を右側に移動させる。
【００５０】
なお、回動部材６０のギヤー部６３の半径に対するギヤーレバー６５のギヤー部６８の回動半径、ギヤー部６４の半径に対するギヤー部６９の回動半径、ギヤー部６１の半径に対するギヤー部６６の回動半径、ギヤー部６２の半径に対するギヤー部６７の回動半径はそれぞれ、ギヤーレバー６５の回動角度α１、α２、α３、α４に対応した値としている。従って、各モード間の回動部材６０の回動角度の間隔を同一にすることができる。
【００５１】
図１１は他の発明による実施例を示す図で、回動部材７０にはギヤー部７１が形成され、このギヤー部７１の下方部は歯のない部分の非噛合部７２となっている。そしてギヤーレバー７３には、ギヤー部７４を設けている。そして、図に示す位置から回動部材７０を時計回りに回動すると、所定角度は空回りし、ギヤー部７１の右側の最端の歯７１ａがギヤーレバー７３のギヤー部７４の歯７４ａに噛合するとギヤーレバー７３を左側に回動させ、反時計回りに回動させると、同様にギヤー部７１の左側の最端の歯７１ｂがギヤーレバー７３のギヤー部７４の歯７４ｂに噛合してギヤーレバー７３を右側に回動される。
【００５２】
従って、回動部材７０が中央付近で回動する場合のギヤーレバー７３の移動量は小さく、中央から離れた位置でのギヤーレバー７３の移動量は大きくなる。これは、中央付近に限られたことではなく、任意の位置に非噛合部を設けることができ、自由に回動部材の回動量に対するギヤーレバーの移動量を設定することができる。この発明によれば非常に簡単な構造で、操作ノブの回動範囲に対するギヤーレバーの移動量を調整することができる。
【００５３】
【発明の効果】
以上の説明から明らかなように、第１の発明によれば、操作ノブの回動をギヤー部を介して連結部材に伝達して空調装置側部材を駆動するヒーターコントロール装置において、連結用のギヤー部を複数にして、操作ノブの回動位置に応じて、伝達比を異ならせるようにしているので、簡単な構造で、操作ノブの回動範囲を均一にすることができる。また、空調装置側部材の大きい作動範囲で駆動されるモード間と小さい作動範囲で駆動されるモード間とに区分し、分割した位置を境にして異なる歯が噛合するようにするすれば、左右に分割したギヤー部を設けるだけの簡単な構造で、操作ノブ側のモードの間隔を概略均一にすることができる。
【００５４】
また、空調装置側部材のモード間毎に対応したギヤー部を形成し、各モードを境にしてギヤー部の噛合を切り替えて操作ノブの回動角を均一にするようにすれば、全てのモード間の回動範囲を均一化することができる。
【図面の簡単な説明】
【図１】本発明のヒーターコントロール装置の平面図である。
【図２】図２の正面図である。
【図３】（ａ）は、第１実施例のギヤ部材であるギヤーレバーの平面図。（ｂ）は（ａ）の側面断面図である。
【図４】（ａ）は、第２実施例のギヤ部材であるギヤーレバーの平面図。（ｂ）は（ａ）の側面断面図である。
【図５】第１実施例の回動部材とギヤーレバーの関係を示した一部断面側面図である。
【図６】第２実施例の回動部材とギヤーレバーの関係を示した一部断面側面図である。
【図７】第１実施例のギヤーレバーの回動範囲と連結部材の伸縮量の関係を示した図である。
【図８】第２実施例のギヤーレバーの回動範囲を示した図である。
【図９】非噛合部を回動部材側に形成した例の回動部材とギヤーレバーの関係を示した図である。
【図１０】第３実施例の回動部材とギヤーレバーの関係を示した図である。
【図１１】他の発明による実施例に係る回動部材とギヤーレバーの関係を示した図である。
【図１２】従来実施例のヒーターコントロール装置の平面図である。
【図１３】図１２の正面図である。
【図１】
0004093752.tif 000002
【図２】
0004093752.tif 000003
【図３】
0004093752.tif 000004
【図４】
0004093752.tif 000005
【図５】
0004093752.tif 000006
【図６】
0004093752.tif 000007
【図７】
0004093752.tif 000008
【図８】
0004093752.tif 000009
【図９】
0004093752.tif 000010
【図１０】
0004093752.tif 000011
【図１１】
0004093752.tif 000012
【図１２】
0004093752.tif 000013
【図１３】
0004093752.tif 000014